(57)【要約】【課題】簡素な構成により、天板と脚との相対位置変更の自由度が高く、様々なレイアウトに対応できる机を得る。【解決手段】天板１と、２本の脚柱２ａとこれら脚柱間に架設した横架ビーム２ｂとからなる、少なくとも２個の門脚２と、天板を支持する天板支持部材３，・・・とを備え、横架ビーム２ｂ，２ｂにより天板支持部材３，・・・を横架ビーム２ｂの長手方向に移動可能に支持すると共に、天板支持部材３，・・・と横架ビーム２ｂとの位置決め手段を横架ビーム２ｂに設けた。また、門脚２，２同士を連結する連結ビーム４を備え、連結ビーム４の支持部を天板支持部材３，３に設け、天板支持部材３，３により連結ビーム４を該連結ビーム４の長手方向に移動可能に支持した。【選択図】        図２
2004261311.tif 000002
【特許請求の範囲】
【請求項１】
天板と、
２本の脚柱とこれら脚柱間に架設した横架ビームとからなる、少なくとも２個の、共通使用可能な脚体と、
前記天板を支持する天板支持部材とを備え、
前記横架ビームにより前記天板支持部材を前記横架ビームの長手方向に移動可能に支持すると共に、前記天板支持部材と前記横架ビームとの位置決め手段を前記横架ビームに設けてなる机。
【請求項２】
横架ビームと脚柱とからなる脚体同士を連結する連結ビームを備え、この連結ビームの支持部を天板支持部材に設けてなる請求項１記載の机。
【請求項３】
天板支持部材により連結ビームを該連結ビームの長手方向に移動可能に支持してなる請求項２記載の机。
【請求項４】
共通使用可能な脚体が同一形状である請求項１〜３のいずれかに記載の連結机。
【発明の詳細な説明】
【０００１】
【発明の属する技術分野】
本発明は、天板と脚との相対位置を変更できる机に関するものである。
【０００２】
【従来の技術】
従来の天板と脚との相対位置を変更できる机の例としては、支脚の移動を、長尺状の天板と支脚とを分離することなく、前記天板の下面と前記支脚の頂板の上面とを当接させた状態で可能とすることを目的とし、前記天板の下面に長手方向に延びる溝を設け、前記溝内にレールを、該レールの下面が前記天板の下面より上方に位置するように配し、この天板を支持する支脚の頂板には孔を設け、ボルトまたはナットの一方であって頭部を有するものをその頭部をレールに挿通することにより天板より下方へ突出させ、前記ボルト又はナットの他方のものを前記頂板の下方より挿通して、ボルトとナットを螺合することにより、天板長手方向における任意の位置に前記支脚を位置決めできるようにしたもの（特許文献１参照）等がある。
【０００３】
【特許文献１】
実公平６−２０４４１号公報（第３頁、第５図）
【０００４】
【発明が解決しようとする課題】
以上のような従来の天板と脚との相対位置を変更できる机においては、天板内に設けたレールを使用するため、天板の厚み以上のレールを取り付けることができない。したがって、天板の幅が広くなると机のたわみ強度が不足するため、天板の外面に断面二次モーメントの大きい補強材を使用する必要があり、天板に対して脚を移動させる場合には、前記補強材の長さを変える必要が生じるという問題点があった。また、天板と脚との相対位置変更の自由度が低いという問題点があった。さらに、複数の机により構成される様々なレイアウトに対応できないという問題点があった。
【０００５】
本発明は、前記のような問題点を解決するためになされたものであり、簡素な構成により、天板と脚との相対位置変更の自由度が高く、様々なレイアウトに対応できる机を得ることを目的とする。
【０００６】
【課題を解決するための手段】
本発明に係る机は、天板と、２本の脚柱とこれら脚柱間に架設した横架ビームとからなる、少なくとも２個の、共通使用可能な脚体と、前記天板を支持する天板支持部材とを備え、前記横架ビームにより前記天板支持部材を前記横架ビームの長手方向に移動可能に支持すると共に、前記天板支持部材と前記横架ビームとの位置決め手段を前記横架ビームに設けたものである。
【０００７】
ここで、横架ビームと脚柱とからなる脚体同士を連結する連結ビームを備え、この連結ビームの支持部を天板支持部材に設けると好ましい。
【０００８】
また、天板支持部材により連結ビームを該連結ビームの長手方向に移動可能に支持するとさらに好ましい。
【０００９】
さらに、共通使用可能な脚体が同一形状であると好ましい。
【００１０】
【発明の実施の形態】
次に本発明の実施の形態を添付図面に基づき詳細に説明する。図１及び図２は、本発明の実施の形態に係る机の構成例を示す斜視図及び平面図であり、図において、１は天板、２は脚柱２ａ，２ａとこれら脚柱間に架設した横架ビーム２ｂとからなる脚体、３は天板１を支持する天板支持部材、４は脚体２同士を連結及び大型天板の強度を保持するための連結ビーム、１０１は机上パネル、１０２はダクトカバーである。脚体２，２は共通使用可能であり、例えば同一形状に形成されている。
【００１１】
図３は脚体２及び天板支持部材３の説明図であり、図３（ａ）は正面図、図３（ｂ）は右側面図である。図３において、図１及び図２と同一符号は同一又は相当部分を示しており、８は天板支持部材３を横架ビームに対して横架ビーム２ｂの長手方向（図３中の矢印Ａ方向）に位置決めする位置決めプレート、８ａ，・・・は位置決めプレート８に形成された位置決め手段である複数の抜き穴である。
【００１２】
脚体２は、脚柱２ａ，２ａ間に横架ビーム２ｂを架設して図示しないネジ等の固定手段により連結されて形成されるが、図３のように脚柱２ａ，２ａ間の上部に１本の横架ビーム２ｂを架設する形態の他、脚柱２ａ，２ａ間の適宜位置に複数の横架ビーム２ｂ，・・・を架設してもよい。
【００１３】
図４は脚体２の横架ビーム２ｂと天板支持部材３との取り付け方法の例を示す断面図であり、図において、３ａは天板受けブロック、３ｂは固定ブロック、５ａは天板受けブロック３ａの鉤状係合片、５ｂは固定ブロック３ｂの鉤状係合片、６ａは横架ビーム２ｂの上部水平溝、６ｂは横架ビーム２ｂの下部水平溝、７ａは横架ビーム２ｂの上部水平溝６ａの下部に形成された下向き溝、７ｂは横架ビーム２ｂの下部水平溝６ｂの上部に形成された上向き溝、８は位置決めプレート、８ａは抜き穴、９は天板受けブロック３ａと固定ブロック３ｂを固定するボルトである。
【００１４】
図４に示すように、天板支持部材３は天板受けブロック３ａ及び固定ブロック３ｂにより構成されており、天板受けブロック３ａの鉤状係合片５ａは横架ビーム２ｂの上部水平溝６ａと係合し、固定ブロック３ｂの鉤状係合片５ｂは横架ビーム２ｂの下部水平溝６ｂと係合する。天板受けブロック３ａ及び固定ブロック３ｂはボルト９により固定され、天板支持部材３は脚体２の横架ビーム２ｂに取り付けられる。図４では、ボルト９を天板受けブロック３ａ側から挿入して、天板受けブロック３ａ及び固定ブロック３ｂを固定する場合を示しているが、ボルト９を固定ブロック３ｂ側から挿入して前記固定を行う構造を採用することもできる。このようにして、天板支持部材３は、横架ビーム２ｂの長手方向（図３中の矢印Ａ方向）に移動可能なように、横架ビーム２ｂにより支持される。したがって、天板１と脚体２との相対位置を横架ビーム２ｂの長手方向（図３中の矢印Ａ方向）に簡単に変更することができる。このような構成により、図１のような机上パネル１０１の立設、並びに、ＬＡＮ等の通信ケーブル、電源等の配線、配線用ダクト及びコンセントの配設等を、天板１を脚体２に対して横架ビーム２ｂの長手方向に移動させることにより容易に行うことができる。
【００１５】
また、前記のような天板受けブロック３ａ及び固定ブロック３ｂによる天板支持部材３の構成により、脚柱２ａ，２ａ間に横架ビーム２ｂを架設して脚体２が形成された後においても、天板支持部材３の横架ビーム２ｂへの取り付け又は取り外しを自由に行うことができる。さらに、図４の横架ビーム２ｂの断面形状からわかるように、天板支持部材３は横架ビーム２ｂの長手方向の両側面、すなわち脚体２の両側に取り付けることができる。ただし、横架ビーム２ｂは、図４の断面形状のように、その両側面に上部水平溝６ａ及び下部水平溝６ｂを形成する構成に限定されず、側面のいずれか一方のみに上部水平溝６ａ及び下部水平溝６ｂを形成して、天板支持部材３を取り付けてもよい。また、図４の横架ビーム２ｂの断面形状からわかるように、横架ビーム２ｂの上下面が上部水平溝６ａ及び下部水平溝６ｂの上下部を覆っており、上部水平溝６ａ及び下部水平溝６ｂの全体が露出しないため、美観を向上できる構造となっている。
【００１６】
また、脚柱２ａ，２ａ間の適宜位置に架設された横架ビーム２ｂには、横架ビーム２ｂの上部水平溝６ａ及び下部水平溝６ｂに、鉤状係合片を有する受けブロック３ａ及び固定ブロック３ｂにより構成される天板支持部材３のみならず、棚又は机上パネル、電話台、載置台及びダストボックス等のオプション類等を支持するための、鉤状係合片を有する受けブロック及び固定ブロックにより構成される支持部材を係合させることもできる。
【００１７】
位置決めプレート８は、横架ビーム２ｂに形成された下向き溝７ａと上向き溝７ｂ間に配設される。位置決めプレート８は、脚体２を形成する前に横架ビーム２ｂに予め取り付けておくか、あるいは、位置決めプレート８を可撓性のある材料で形成した場合は脚体２の形成後においても取り付けることができる。また、図４からわかるように、位置決めプレート８は前記の天板支持部材３の横架ビーム２ｂの長手方向への移動と干渉しない構成となっている。
【００１８】
位置決めプレート８には抜き穴８ａ，・・・が明けられているため、天板支持部材３を横架ビーム２ｂに対して横架ビーム２ｂの長手方向（図３中の矢印Ａ方向）に位置決めすることができる。したがって、組立又はレイアウト変更等における作業性を向上することができる。なお、位置決めプレート８には、抜き穴８ａ，・・・以外にも、切り欠き、線条、突出部等の他の位置決め手段を形成することができる。さらに、横架ビーム２ｂに形成された下向き溝７ａと上向き溝７ｂ間には、意匠性を考慮して飾り板を配設することもでき、このような飾り板に天板支持部材３を横架ビーム２ｂの長手方向に位置決めする機能を付加してもよい。例えば、飾り板に、塗装、メッキ及び樹脂顔料等による色の変更、金属、樹脂、木、紙及び布等による材料の変更、並びに、抜き穴、段差、彫刻及び木目加工等による模様の変更等を適宜行い、意匠性及び位置決め機能の付与を両立させることができる。
【００１９】
また、横架ビーム２ｂの上部水平溝６ａ及び下部水平溝６ｂに、棚又は机上パネル、電話台、載置台及びダストボックス等のオプション類等を支持するための支持部材を係合させた場合は、該支持部材と横架ビーム２ｂとの該横架ビーム２ｂの長手方向の位置決めを位置決めプレート８により行うことができる。
【００２０】
図５は、天板受けブロック３ａの例を示す斜視図であり、１０ａは連結ビーム支持部である。連結ビーム４は、その端部を天板受けブロック３ａの連結ビーム支持部１０ａに外嵌した後に螺着される。図５の構造の天板受けブロック３ａを使用した場合は、天板受けブロック３ａの連結ビーム支持部１０ａに連結ビーム４との嵌合部が形成されており、この嵌合部がモーメントを受け持つため、嵌合部がない場合と比較して、脚体２同士の連結ビーム４による連結強度及び剛性が向上する。
【００２１】
また、図６は、天板受けブロック３ａの別の例を示す斜視図であり、１０ｂは連結ビーム支持部である。連結ビーム４は、その端部を連結ビーム支持部１０ｂに載置した後に螺着される。図６の構造の天板受けブロック３ａを使用した場合は、この天板受けブロック３ａの連結ビーム支持部１０ｂにより、連結ビーム４の端部以外も支持できるため、天板支持部材３により連結ビーム４を該連結ビーム４の長手方向に移動可能に支持することができ、天板１と脚体２との相対位置を連結ビーム４の長手方向（図２中の矢印Ｂ方向）に簡単に変更することができる。
【００２２】
図５及び図６のような天板受けブロック３ａを使用して天板支持部材３を構成することにより、天板１の支持及び連結ビーム４の支持を同一の天板支持部材３で行うことができるため、机の構成部品点数を削減することができ、机の構成をより簡素なものとすることができる。
【００２３】
図７は、本発明の実施の形態に係る机の構成例を示す平面図であり、机を並設した場合を示している。図７の例では、天板支持部材３の天板受けブロック３ａとして、連結ビーム支持部１０ｂに連結ビーム４を載置して固定する、図６の構成の天板受けブロック３ａを使用しており、右側の脚体２，２を、図中矢印Ｃのように連結ビーム４，４及び天板１，１に対してスライドさせて配置することにより、図中Ｄ方向からのアクセスに対して右側の脚体２，２の支脚２ａ，・・・が邪魔にならないようにすることができる。
【００２４】
図７の構成において、図中Ｅ及びＦでは、脚体２，２の脚柱２ａ，２ａを当接している。図８は、このような場合における脚体２，２の脚柱２ａ，２ａ同士の連結方法の例を示す説明図であり、１１ａ、１１ｂは連結部材、１１ｃは連結部材１１ａ及び１１ｂを固定するボルト、１２，１２は脚柱２ａの連結部材係合部である。脚柱２ａ，２ａを当接し、連結部材１１ａ及び１１ｂを脚柱２ａ，２ａの連結部材係合部１２，１２にそれぞれ挿入して、ボルト１１ｃにより螺着することにより、脚柱２ａ，２ａ同士を簡単に連結して固定することができ、並設した机全体の強度及び剛性を向上することができる。
【００２５】
図９は、本発明の実施の形態に係る机の別の構成例を示す平面図であり、図２の机の構成において連結ビーム４，・・・を使用しない構成を示している。このように、連結ビーム４を使用しない場合は、天板１の適宜位置に設けた埋め込みナット等に、天板支持部材３をボルト等により取り付ける。要求仕様によっては、このような連結ビーム４，・・・を使用しない構成を採用することができ、このような構成によれば、さらに机の構成を簡素なものとすることができる。
【００２６】
以上の説明においては、天板支持部材３により天板１を直接支持する場合を示したが、本発明はこのような構成に限定されるものではなく、天板１と天板支持部材３間にガイドレールを介在させる等、天板支持部材３により天板１を間接支持する構成を採用してもよい。
【００２７】
なお、本明細書における「机」には、いわゆるテーブルの概念も含むものである。
【００２８】
【発明の効果】
この発明に係る机は、以上説明したように構成されているので、以下に示すような効果を奏する。
【００２９】
請求項１に係る発明によれば、天板と、２本の脚柱とこれら脚柱間に架設した横架ビームとからなる、少なくとも２個の、共通使用可能な脚体と、前記天板を支持する天板支持部材とを備え、前記横架ビームにより前記天板支持部材を前記横架ビームの長手方向に移動可能に支持すると共に、前記天板支持部材と前記横架ビームとの位置決め手段を前記横架ビームに設けたので、天板と脚との相対位置変更の自由度が高くなり、様々なレイアウトに対応できる机を簡素な構成により実現することができる。
【００３０】
また、請求項２に係る発明によれば、請求項１の構成に加え、横架ビームと脚柱とからなる脚体同士を連結する連結ビームを備え、この連結ビームの支持部を天板支持部材に設けたので、連結ビームにより机の強度及び剛性が向上すると共に、天板及び連結ビームの支持を同一の天板支持部材で行うことができるため、机の構成部品点数を削減することができる。
【００３１】
さらに、請求項３に係る発明によれば、請求項２の構成に加え、天板支持部材により連結ビームを該連結ビームの長手方向に移動可能に支持したので、天板と脚との相対位置変更の自由度がさらに高くなる。
【００３２】
さらにまた、請求項４に係る発明によれば、請求項１〜３のいずれかの構成に加え、共通使用可能な脚体を同一形状としたので、各々の配置位置に拘らず共通使用可能であり、組立性及びレイアウト変更への対応性を向上することができる。
【図面の簡単な説明】
【図１】本発明の実施の形態に係る机の構成例を示す斜視図である。
【図２】本発明の実施の形態に係る机の構成例を示す平面図である。
【図３】脚体及び天板支持部材の構成を示す説明図である。
【図４】横架ビームと天板支持部材との取り付け方法の例を示す断面図である。
【図５】天板受けブロックの例を示す斜視図である。
【図６】天板受けブロックの別の例を示す斜視図である。
【図７】本発明の実施の形態に係る机の構成例を示す平面図である。
【図８】脚体の脚柱同士を連結する方法の例を示す説明図である。
【図９】本発明の実施の形態に係る机の構成例を示す平面図である。
【符号の説明】
１  天板
２  脚体
２ａ  脚柱
２ｂ  横架ビーム
３  天板支持部材
３ａ  天板受けブロック
３ｂ  固定ブロック
４  連結ビーム
５ａ  天板受けブロック３ａの鉤状係合片
５ｂ  固定ブロック３ｂの鉤状係合片
６ａ  横架ビーム２ｂの上部水平溝
６ｂ  横架ビーム２ｂの下部水平溝
７ａ  横架ビーム２ｂの上部水平溝６ａの下部に形成された下向き溝
７ｂ  横架ビーム２ｂの下部水平溝６ｂの上部に形成された上向き溝
８  位置決めプレート
８ａ  抜き穴
１０ａ，１０ｂ  天板受けブロック３ａの連結ビーム支持部
【図１】
2004261311.tif 000003
【図２】
2004261311.tif 000004
【図３】
2004261311.tif 000005
【図４】
2004261311.tif 000006
【図５】
2004261311.tif 000007
【図６】
2004261311.tif 000008
【図７】
2004261311.tif 000009
【図８】
2004261311.tif 000010
【図９】
2004261311.tif 000011